(57)【特許請求の範囲】
【請求項１】
段ボール板紙によって形成され、
矩形状の底板の前後側縁にそれぞれ折目線を介して連設され、該折目線に沿って上方に折り曲げられて起立された一対の側壁板と、
一方の側壁板の上端縁に折目線を介して連設され、他方の側壁板に向かうように該折目線に沿って前記底板に平行に折り曲げられた天板と、
前記一方の側壁板及び前記他方の側壁板の各左右側縁に折目線を介して一対ずつ連設され、互いに該折目線に沿って内方に折り曲げられた内フラップと、
前記底板及び前記天板の各左右側縁に折目線を介して一対ずつ連設され、それぞれ上下から該折目線に沿って内方に折り曲げられ、前記内フラップに固定された外フラップとを備える包装箱において、
前記側壁板には、開梱時において該側壁板に形成された破断を開始する破断開始部から該側壁板を左右方向に帯状に破断可能とする帯状破断部が夫々設けられ、
該帯状破断部は、その下端に不連続な切れ目が延びる下部破断可能線と、上端に不連続な切れ目が延びる上部破断可能線とによって形成され、
該下部破断可能線の少なくとも一部には、湾曲状に延びる湾曲破断部が設けられ、または、直線方向に延びる第１の直線破断部と該第１の直線破断部の延長線に平行して直線方向に延びる第２の直線破断部と該第１の直線破断部の端部と該端部に隣接する該第２の直線破断部の端部とを破断可能に連結する連結破断部とが設けられ、
前記上部破断可能線は、前記側壁板の上側縁の左右端まで延びており、該上部破断可能線には、前記破断開始部から左右側縁に向かって、前記帯状破断部の帯幅が次第に大となるように、該側壁板の上側縁方向に向かって傾斜して延びる傾斜破断部が設けられており、
前記各内フラップには、前記下部破断可能線から連続して該内フラップの先端まで延びる内フラップ破断可能線が形成され、
前記天板の左右側縁には、前端及び後端のそれぞれから中央に向かって延びる一対の外フラップ破断可能線と、
前記一対の外フラップ破断可能線の両先端で挟まれる領域に、破断可能線が形成されていない未加工部とが設けられていることを特徴とする包装用箱。
【請求項２】
請求項１に記載の包装箱であって、
前記外フラップ破断線は、前記内フラップの基端から先端までの長さと一致することを特徴とする包装用箱。
【発明の詳細な説明】
【技術分野】
【０００１】
本発明は、胴部に開封用の破断可能線が形成された包装箱に関する。
【背景技術】
【０００２】
従来、打抜かれた段ボール板紙上に内容物を載せ、該内容物を包み込むように段ボール板紙を折り曲げて、箱の組立てと同時に内容物の包装が完了するラップアラウンドケースと言われる包装箱が知られている。
【０００３】
この種の包装箱においては、開梱が容易に行えるように、側壁板に破断可能線が形成されている。この種の破断可能線としては、所定幅で平行に延設された２条の不連続の切れ目からなる所謂ジッパーが挙げられる。該ジッパーを構成する２条の切れ目は、その一部に破断開始部を備え、該破断開始部を手掛かりとして帯状に切除することにより容易に開梱することができる。
【０００４】
しかしながら、この種の包装箱における破断可能線は、側壁板の両側にわたって同一直線上に配列された切れ目によって形成されているので、折目線に比べて折れ曲がり易く、例えば組み立ての際に、底板に対して側壁板を起立させたとき、天板の荷重に耐えきれず破断可能線が折れ曲がってしまうという不都合がある。
【０００５】
かかる不都合を解消する改良型包装箱として、前記側壁板に設けられた破断可能線が、第１の直線破断部と該第１の直線破断部の延長線に平行する前記第２の直線破断部と、前記第１の直線破断部の端部と該端部に隣接する前記第２の直線破断部の端部とを破断可能に連結する連結破断部とを備えるものが知られている（特許文献１参照）。
【０００６】
この改良型包装箱によれば、第１の直線破断部と第２の直線破断部とは同一直線状に配置されていないので第１の直線破断部と第２の直線破断部との間に折り曲げ方向に交差する段差が生じ、組み立てる際に前記破断可能線の折れ曲がりを防止することができる。
【先行技術文献】
【特許文献】
【０００７】
【特許文献１】特開２００３−１６５５３３号公報
【発明の概要】
【発明が解決しようとする課題】
【０００８】
しかしながら、この改良型包装箱は、該破断開始部を手掛かりとして前記ジッパーを第１の直線破断部に沿って左右方向に破断していったとき、該連結破断部は該左右方向に対して交差する方向に延びているため、前記第１の直線破断部と該連結部との継ぎ目で前記ジッパーが切れてしまい、開梱作業が困難になることがあるという不都合がある。
【０００９】
上記の点に鑑み、本発明は、側壁板の破断可能線の折れ曲がりを防止すると共に、開梱作業を容易に行なうことができる包装箱を提供することを目的とする。
【課題を解決するための手段】
【００１０】
かかる目的を達成するために、本発明の包装箱は、段ボール板紙によって形成され、矩形状の底板の前後側縁にそれぞれ折目線を介して連設され、該折目線に沿って上方に折り曲げられて起立された一対の側壁板と、一方の側壁板の上端縁に折目線を介して連設され、他方の側壁板に向かうように該折目線に沿って前記底板に平行に折り曲げられた天板と、前記一方の側壁板及び前記他方の側壁板の各左右側縁に折目線を介して一対ずつ連設され、互いに該折目線に沿って内方に折り曲げられた内フラップと、前記底板及び前記天板の各左右側縁に折目線を介して一対ずつ連設され、それぞれ上下から該折目線に沿って内方に折り曲げられ、前記内フラップに固定された外フラップとを備える包装箱において、前記側壁板には、開梱時において該側壁板に形成された破断を開始する破断開始部から該側壁板を左右方向に帯状に破断可能とする帯状破断部が夫々設けられ、該帯状破断部は、その下端に不連続な切れ目が延びる下部破断可能線と、上端に不連続な切れ目が延びる上部破断可能線とによって形成され、該下部破断可能線の少なくとも一部には、湾曲状に延びる湾曲破断部が設けられ、または、直線方向に延びる第１の直線破断部と該第１の直線破断部の延長線に平行して直線方向に延びる第２の直線破断部と該第１の直線破断部の端部と該端部に隣接する該第２の直線破断部の端部とを破断可能に連結する連結破断部とが設けられ、該上部破断可能線には、前記破断開始部から左右側縁に向かって、前記帯状破断部の帯幅が次第に大となるように、該側壁板の上側縁方向に向かって傾斜して延びる傾斜破断部が設けられていることを特徴とする。
【００１１】
本発明の包装箱は、前記側壁板に設けられた下部破断可能線が、湾曲状部、又は、第１の直線破断部及び該第１の直線破断部の延長線に平行する前記第２の直線破断部を備えて構成されている。これにより、下部破断可能線は、同一直線状に配置されていないので、組み立てる際に前記破断可能線の折れ曲がりを防止することができる。
【００１２】
同様に、前記側壁板に設けられた上部破断可能線も、前記破断開始部から左右側縁に向かって、夫々傾斜破断部を有して構成され、同一直線状に配置されていないので、組み立てる際に前記破断可能線の折れ曲がりを防止することができる。
【００１３】
そして、前記側壁板に設けられた上部破断可能線が該傾斜破断部を有することで、帯状破断部の帯幅は次第に大となっているので、破断する際に帯状破断部が中途で切れることを防止でき、側壁板の左右方向にわたって円滑に破断することができる。
【００１４】
また、本発明の包装箱において、前記各内フラップには、前記下部破断可能線から連続して該内フラップを破断可能とする内フラップ破断可能線が形成されていることが好ましい。
【００１５】
これによれば、帯状破断部を破断開始部から左右方向に引っ張るだけで、側壁板を経て内フラップも破断することができる。したがって、両側壁板を破断したときに上半部と下半部との分離が円滑に行うことができ、該下半部は、上半部を取ることによってトレイ状になるので、包装箱で包装されていた内容物を下半部に入れたまま販売のために展示することができる。
【００１６】
また、本発明の包装箱において、前記下部破断可能線は、各側壁板に形成された少なくとも一対の湾曲破断部を備え、該一対の湾曲破断部は、該下部破断可能線と前記破断開始部との交点の周りに点対称に形成されていることが好ましい。
【００１７】
これによれば、側壁板の下部破断可能線に湾曲破断部が点対称に設けられていることから、該下半部の側壁を波形状にできるので、良好な外観が得られる。
【図面の簡単な説明】
【００１８】
【図１】本発明の包装箱の一実施形態を示す斜視図。
【図２】図１の包装箱の展開状態の平面図。
【図３】図３Ａは、図１の包装箱の開梱工程（開始段階）を示す説明的側面図。図３Ｂは、開梱工程（終了段階）を示す説明的側面図。
【図４】図４Ａは、包装箱を開梱した後の下半部を示す斜視図。図４Ｂは、包装箱を開梱した後の上半部を示す平面図。
【発明を実施するための形態】
【００１９】
本発明の一実施形態を図面に基づいて説明する。本実施形態の包装箱１は、図１に示すように、外観が直方体状に形成され、内部に図示しない内容物が収納されている。
【００２０】
包装箱１は、所謂ラップアラウンドケースであり、図２に示すように、大略矩形状に打抜いて形成された段ボール板紙２により組み立てられる。
【００２１】
段ボール板紙２は、底板３と、底板３の前側縁に折目線ａを介して連設された前側壁板４と、底板３の後側縁に折目線ｂを介して連設された後側壁板５と、後側壁板５の上側縁に折目線ｃを介して連設された天板６とを備えている。また、前側壁板４の上側縁には、折目線ｄを介して接着片７が連設されている。
【００２２】
前側壁板４と後側壁板５との夫々の左右側縁には、一対の内フラップ８,９が折目線ｅ，ｆを介して連設されており、底板３と天板６との夫々の左右側縁には、一対の外フラップ１０,１１が折目線ｇ，ｈを介して連設されている。
【００２３】
更に、前側壁板４及び後側壁板５の夫々には、連続して破断可能な上部破断可能線１２と、連続して破断可能な下部破断可能線１３とが形成されている。上部破断可能線１２及び下部破断可能線１３は、夫々大略左右方向に延びることで、両者に挟まれる領域が帯状に破断される帯状破断部１４として形成される。該帯状破断部１４には、一端が内側に屈曲する複数の切れ目によって構成される所謂ジッパーが採用されている。
【００２４】
帯状破断部１４には、左右方向の中央近傍において、上部破断可能線１２と下部破断可能線１３とを上下に切れ目線１５によってつなぐことで舌片状に遊離自在とする破断開始部１６が形成されている。なお、切れ目線１５は、左右方向の中央近傍に限られないが、上部破断可能線１２と下部破断可能線１３とが相対的に接近している位置に形成されることが好ましい。
【００２５】
次いで、上部破断可能線１２及び下部破断可能線１３について、前側壁板４を用いて説明する。上部破断可能線１２及び下部破断可能線１３は、後側壁板５にも形成されているが、底板３を介して線対称に形成されているため説明を省略する。なお、前側壁板４と後側壁板５との夫々に形成される上部破断可能線１２及び下部破断可能線１３は、底板３の中心の周りに点対称に表れてもよく、対称でなくてもよい。
【００２６】
上部破断可能線１２は、切れ目線１５と接し前記舌片状に遊離される中央直線部１２ａと、中央直線部１２ａの各端部から前側壁板４の上側縁に向かって互いに離間する方向に傾斜して延びる傾斜部１２ｂと、傾斜部１２ｂの先端部から夫々前側壁板４の隣接する左右側縁まで延びる上部直線部１２ｃとが連続することによって形成されている。
【００２７】
下部破断可能線１３は、切れ目線１５との接点から前側壁板４の右側縁まで、上側縁に向けて凸状に湾曲して延びる湾曲部１３ａと、切れ目線１５との接点から前側壁板４の左側縁まで、下側縁に向けて凸状に湾曲して延びる湾曲部１３ａとによって形成されている。左右の湾曲部１３ａは、上記切れ目線１５との接点の周りに点対称に形成され、下部破断可能線１３全体としては、波形状を形成している。
【００２８】
前側壁板４の両側の内フラップ８と後側壁板５の両側の内フラップ９との夫々には連続して破断可能な内フラップ破断可能線１７が形成されている。内フラップ破断可能線１７は、下部破断可能線１３の各端部から隣接する内フラップ８，９の各先端部まで夫々延び、該下部破断可能線１３と連続して破断される形状に形成されている。
【００２９】
また、図１に示すように、内フラップ破断可能線１７は、包装箱１として形成された状態において、底板３の両側の外フラップ１０の各先端部に沿って夫々延びるように形成されている。なお、内フラップ破断可能線１７の位置は、これに限られないが、天板６の外フラップ１１の先端部と底板３の外フラップ１０の先端部とで挟まれる領域に設けられることが好ましい。
【００３０】
図２に示すように、天板６の左右側縁には、前後端から折目線ｈに沿って内側に向かって、連続して破断可能な外フラップ破断可能線１８が形成されている。外フラップ破断可能線１８は、図１に示すように、包装箱１として形成された状態において、上部破断可能線１２と連続して破断される形状に形成されている。
【００３１】
図２に示すように、各折目線ｈ上で夫々対向する外フラップ破断可能線１８の両先端は、所定の間隔を存するように設けられている。即ち、天板６の各左右側縁の中央部近傍は、破断可能線が形成されていない未加工部１８ａとされている。
【００３２】
本実施形態においては、外フラップ破断可能線１８は、内フラップ破断可能線１７と概ね一致する長さに形成されているため、該未加工部１８ａは、図１に示すように、包装箱１として形成された状態において、対向する内フラップ８，９の両先端部で挟まれる領域の上方に配置される。
【００３３】
以上の構成による図２示の段ボール板紙２から図１示の包装箱１を形成するときには、図２示の段ボール板紙２の状態で、その底板３上に図示しない複数の内容物が整列して載置され、先ず、前側壁板４及び後側壁板５が各折目線ａ，ｂを介して起立される。このとき、上部破断可能線１２は、一直線状に配置されていないので、上部破断可能線１２からの折れ曲がりが防止された状態で前側壁板４及び後側壁板５を起立させることができる。同様に、下部破断可能線１３及びこの両端に連結された内フラップ破断可能線１７は、一直線状に配置されていないので、下部破断可能線１３からの折れ曲がりが防止された状態で前側壁板４及び後側壁板５を起立させることができる。
【００３４】
次いで、図１に示すとおり、両側壁板４，５の両側の各内フラップ８，９が各折目線ｅ，ｆを介して底板３の両側縁に沿って折り曲げられ、底板３の両側に連設された外フラップ１０が折目線ｇを介して起立されると共に、各内フラップ８，９の外面に接着剤を介して接着される。
【００３５】
続いて、接着片７が折目線ｄを介して水平に折り曲げられ、天板６が折目線ｃを介して底板３に平行に折り曲げられ、天板６が接着片７に接着剤を介して接着される。
【００３６】
その後、天板６の両側に連設された外フラップ１１が折目線ｈを介して下方に折り曲げられると共に、各内フラップ８，９の外面に接着剤を介して接着され、内容物の包装が完了すると同時に図１示の包装箱１が形成される。
【００３７】
次に、本実施形態の包装箱１の開梱作業を説明する。
【００３８】
包装箱１を開梱するときには、図３Ａに示すように、先ず、前側壁板４の破断開始部１６に指を挿し込み、舌片状に遊離された部分を把持して夫々左右に引っ張ることで帯状破断部１４を破断する。
【００３９】
このとき、帯状破断部１４は、上部破断可能線１２が傾斜部１２ｂを備えることによって、帯幅が次第に大となるように形成されているため、破断する際に帯状破断部が中途で切れることを防止することができる。
【００４０】
帯状破断部１４の破断が完了した後も舌片状に遊離された部分を左右に引っ張ると、図３Ｂに示すように、帯状破断部１４のうち下端を形成する下部破断可能線１３は、その各端部から各内フラップ破断可能線１７が連続して延びているので、次いで該各内フラップ破断可能線１７に沿って破断が進行し、内フラップ８が上部と下部とに分割される。
【００４１】
他方、帯状破断部１４のうち上端を形成する上部破断可能線１２は、外フラップ破断可能線１８と直接連結されていないが、帯状破断部１４が折目線ｅを介して前記内フラップ８の上部と連設されており、かつ、該内フラップ８の上部と天板６の両側の外フラップ１１とが接着されている。そのため、帯状破断部１４の破断が完了した後も舌片状に遊離された部分を左右に引っ張ると、図３Ｂに示すように、各上部破断可能線１２に隣接する各外フラップ破断可能線１８に沿って破断が夫々進行する。
【００４２】
そして、内フラップ破断可能線１７の長さと外フラップ破断可能線１８の長さとは概ね一致し、内フラップ破断可能線１７の先端部と外フラップ破断可能線１８の先端部とは高さ方向に沿って配置されるため、内フラップ破断可能線１７が内フラップ８の先端まで破断され、内フラップ破断可能線１７の破断が完了すると同時に、外フラップ破断可能線１８が未加工部１８ａの端部まで破断され、該外フラップ破断可能線１８の破断も完了する。
【００４３】
同じようにして、後側壁板５（図２参照）の破断開始部１６から帯状破断部１４、内フラップ破断可能線１７及び外フラップ破断可能線１８を破断する。
【００４４】
これによって、包装箱１の上部を持ち上げることでその下部から容易に分離することができる。
【００４５】
包装箱１の下部は、図４Ａに示すように、底板３を有し、四方を２つの外フラップ１０及び前後側壁板４，５の下部より囲まれたトレイ状とされている。
【００４６】
従って、包装箱１は、内容物が外部から見え且つ取り出し可能な状態で、トレイ状とされた下部ごとまとめて容易に運搬等することができる。特に、本実施形態における包装箱１は、下部破断可能線１３が波形状であるため、下部破断可能線１３に沿って破断された前後側壁板４，５の下部も波形状に形成されるため、美粧性に優れる。
【００４７】
また、包装箱１の上部は、図４Ｂに示すように、天板６の後側縁に折目線ｃを介して連設された後側壁板５の上部と、天板６の前側縁に接着片７を介して接着された前側壁板４の上部と、天板６の左右側縁に折目線ｈを介して連設された一対の外フラップ１１と、各外フラップ１１の上部及び下部に夫々接着された内フラップ８，９と、該内フラップ８，９に折目線ｅ，ｆを介して連設された前後側壁板４，５の帯状破断部１４の部分とからなる。
【００４８】
このとき、天板６の左右側縁の折目線ｈは、外フラップ破断可能線１８に沿って破断されているが、未加工部１８ａが存することによって、天板６と外フラップ１１とは繋がっているので、廃棄品を１つだけにすることができる。
【００４９】
なお、本発明の下部破断可能線１３は、本実施形態に限るものではなく、例えば、左右方向に直線状に延びる第１の直線破断部と、該第１の直線破断部の延長線に平行して直線状に延びる第２の直線破断部と、該第１の直線破断部の端部と該端部に隣接する該第２の直線破断部の端部とを破断可能に連結する連結破断部とを含むように構成してもよい。
【００５０】
即ち、下部破断可能線１３及び上部破断可能線１２は、左側端から右側縁までが一直線にならなければよいので、例えば、上部破断可能線１２に湾曲部を設けてもよい。また、下部破断可能線１３及び上部破断可能線１２は、帯状破断部１４として左右方向に向かうにつれて次第に帯幅が大となればよいので、下部破断可能線１３に上部破断可能線１２から離間する方向に延びる傾斜部を設けてもよい。
【００５１】
また、本実施形態においては、帯状破断部１４に一端が屈曲する複数の切れ目によるジッパーを採用したが、これに限るものではなく、例えば図示しないが、各破断可能線１２，１３，１７，１８を直線状の複数の切れ目による所謂ミシン目によって構成してもよい。
【符号の説明】
【００５２】
１…包装箱、３…底板、４…前側壁板、５…後側壁板、６…天板、８，９…内フラップ、１０，１１…外フラップ、１２…上部破断可能線、１２ｂ…傾斜破断部、１３…下部破断可能線、１３ａ…湾曲部（湾曲破断部）、１４…帯状破断部、１６…破断開始部、１７…内フラップ破断可能線、ａ，ｂ，ｃ，ｅ，ｆ，ｇ，ｈ…折目線。
【図１】
0006799911.tif 000002
【図２】
0006799911.tif 000003
【図３】
0006799911.tif 000004
【図４】
0006799911.tif 000005